(57)【要約】【課題】部品点数が削減され防塵性が向上した携帯プリンタを提供することを課題とする。【解決手段】本実施例の携帯プリンタ（１）は、本体（１０）と、本体（１０）を開閉する開閉体（５０）と、開閉体（５０）が閉状態となるようにロックするロック機構（６０）と、開閉体（５０）がロック機構（６０）によりロックされているか否かを検出する光学式センサ（８０）と、を備えている。光学式センサ（８０）は、ＬＥＤ（８２）、受光素子（８４）を含む。【選択図】図５
2011051265.tif 000002
【特許請求の範囲】
【請求項１】
本体と、
前記本体を開閉する開閉体と、
前記開閉体が閉状態となるようにロックするロック機構と、
前記開閉体が前記ロック機構によりロックされているか否かを検出する光学式センサと、を備えた携帯プリンタ。
【請求項２】
前記光学式センサは、発光素子、前記開閉体が前記ロック機構によりロックされているか否かに応じて前記発光素子からの光の受光状態が変化する受光素子、を含む、請求項１の携帯プリンタ。
【請求項３】
前記ロック機構は、前記開閉体をアンロックするアンロック位置と前記開閉体をロックすると共に前記発光素子からの光を遮断するロック位置との間を移動自在に支持されたロック部を含む、請求項２の携帯プリンタ。
【請求項４】
前記ロック部を前記ロック位置に向けて付勢する付勢部材を備えている、請求項３の携帯プリンタ。
【請求項５】
前記光学式センサによる検出状態を報知する報知部を備えている、請求項１乃至４の何れかの携帯プリンタ。
【発明の詳細な説明】
【技術分野】
【０００１】
本発明は、携帯プリンタに関する。
【背景技術】
【０００２】
本体と、本体を開閉する開閉体とを備えた携帯プリンタがある。携帯プリンタに関連する技術が特許文献１に開示されている。
【先行技術文献】
【特許文献】
【０００３】
【特許文献１】特開２００６−２７２９６８号公報
【発明の概要】
【発明が解決しようとする課題】
【０００４】
本発明者らは、携帯プリンタに開閉体の開閉状態を検出するセンサを設けた場合、次のような問題が起こり得ることを見出した。機械式のスイッチにより開閉状態を検出する場合、スイッチが接点不良を起こすおそれがある。特に、屋外で使用可能な携帯プリンタにおいては、埃などの影響によりこのような接点不良が起きる恐れがある。また、携帯プリンタにこのようなセンサを設けると、携帯プリンタの部品点数が増大する。
【０００５】
本発明は、部品点数が削減され防塵性が向上した携帯プリンタを提供することを目的とする。
【課題を解決するための手段】
【０００６】
上記目的は、本体と、前記本体を開閉する開閉体と、前記開閉体が閉状態となるようにロックするロック機構と、前記開閉体が前記ロック機構によりロックされているか否かを検出する光学式センサと、を備えた携帯プリンタにより達成できる。
【０００７】
光学式センサは、機械式センサを用いた場合と比較し埃などの影響を受けにくい。これにより防塵性が向上する。これにより、携帯プリンタがロックされているか否かの検出の信頼性が向上する。
【０００８】
また、開閉体をロックするロック機構の状態を検出することにより、開閉体が閉状態にあるか否かを検出することができる。これにより、本携帯プリンタは、開閉体をロックする機構と開閉体の状態を検出する機構とを個別に設ける場合と比較して、部品点数が削減されている。
【発明の効果】
【０００９】
本発明によれば、部品点数が削減され防塵性が向上した携帯プリンタを提供できる。
【図面の簡単な説明】
【００１０】
【図１】図１は、本実施例の携帯プリンタの斜視図。
【図２】図２は、携帯プリンタの内部構成を示した図。
【図３】図３Ａ、３Ｂは、ロック機構の説明図。
【図４】図３Ａに示した固定ピン周辺の拡大図。
【図５】図５Ａ、５Ｂは、光学式センサ周辺の断面図。
【発明を実施するための形態】
【００１１】
図１は、本実施例の携帯プリンタ１の斜視図である。携帯プリンタ１は、本体１０、本体１０に対して開閉可能に連結された開閉体５０を含む。開閉体５０は、本体１０内に収納された用紙ロールＳＲを補充、交換するためのものである。図１では、開閉体５０が開いた状態での携帯プリンタ１を示している。開閉体５０の先端には、用紙ロールＳＲを裁断するための刃部５３が設けられている。開閉体５０の内側にはロック機構６０が設けられている。本体１０の側壁１２の内側に光学式センサ８０が固定されている。開閉体５０には、ＬＥＤ９０が設けられている。開閉体５０には、ロック機構６０を操作するための操作体５４が設けられている。操作体５４の上面にはユーザが操作するための突起部５５が形成されている。本体１０は、後述するバッテリＢを交換するための蓋体１３を有している。尚、図１では、後述するロック機構６０がロック状態にある場合を示している。
【００１２】
図２は、携帯プリンタ１の内部構成を示した図である。
本体１０の内部には、用紙送りモータ３１、プラテンゴムローラ３２、モータ３１の回転をプラテンゴムローラ３２に伝達するギヤ機構３３、制御回路基板２１等が設けてある。制御回路基板２１には、ＣＰＵ（Central Processing Unit）２２、ＲＯＭ（Read Only Memory）、ＲＡＭ（Random Access Memory）などが実装され、携帯プリンタ１全体の動作を制御している。開閉体５０には、その先端側に、ラインサーマル印字ヘッド３４がバネ３５によって付勢されて設けてある。
【００１３】
また携帯プリンタ１内には、バッテリＢ、用紙ロールＳＲが収納されている。開閉体５０が閉じられた状態で用紙Ｓが本体１０から引き出され、用紙Ｓが印字ヘッド３４とプラテンゴムローラ３２とに挟まれる。外部からの無線又は赤外線通信等による命令によって、印字ヘッド３４及びモータ３１が駆動され、用紙Ｓに印刷がなされ、且つ、用紙Ｓが図２の矢印の方向に送り出される。尚、開閉体５０の基端側は、軸１５により本体１０に対して開閉可能に連結されている。
【００１４】
図３Ａ、３Ｂは、ロック機構６０の説明図である。図３Ａは、アンロック状態のロック機構６０、図３Ｂは、ロック状態のロック機構６０を示している。
図３Ａに示す可動片５６は、操作体５４の背面側に設けられている。可動片５６は、ユーザによる操作体５４の操作に応じて移動する。可動片５６は、図３Ａにおいて上方向に移動可能である。
【００１５】
開閉体５０の背面側には、ギヤ６１が回転可能に保持されている。ギヤ６１には、外周部に歯部６１ａ〜６１ｃが形成されている。歯部６１ｃは、可動片５６と噛合っている。
【００１６】
歯部６１ａ、６１ｂは、それぞれロック部６３ａ、６３ｂと噛合っている。詳細には、ロック部６３ａは、直線状に延びた直状部６７ａを有しており、直状部６７ａに部分的に歯部６８ａが設けられている。ロック部６３ｂも同様に直状部６７ｂに部分的に形成されている。このように、歯部６１ａ、６１ｂは、それぞれ歯部６８ａ、６８ｂと噛合っている。
【００１７】
ロック部６３ａ、６３ｂは、開閉体５０の背面側で直動可能に保持されている。詳細には、開閉体５０の背面側に形成されたガイド部（不図示）により直動可能に保持されている。ロック部６３ａ、６３ｂは、それぞれ自身の移動方向に延びた係合孔６４ａ、６４ｂを有している。係合孔６４ａ、６４ｂには、それぞれ固定ピン５８ａ、５８ｂが係合している。固定ピン５８ａ、５８ｂは、開閉体５０の背面側に立設されている。
【００１８】
図４は、図３Ａに示した固定ピン５８ａ周辺の拡大図である。
固定ピン５８ａは、係合孔６４ａ内に延びたピン５９ａを有している。ピン５９ａは固定ピン５８ａの側面から延びている。ピン５９ａは、固定ピン５８ａと直交している。係合孔６４ａ内には、固定ピン５８ａに向けて延びたピン６５ａが設けられている。ピン５９ａとピン６５ａとは対向している。ピン５９ａとピン６５ａとは、共通のバネ（付勢部材）７０ａに挿入されている。バネ７０ａは、係合孔６４ａ内で常に圧縮されている。図３Ａ、図４に示したアンロック状態では、ピン６５ａとピン５９ａとは接近している。ピン６５ｂ、５９ｂやバネ７０ｂの構成についても同様である。
【００１９】
図３Ａに示した状態から可動片５６を上方に移動すると、ギヤ６１は時計方向に回転し、ロック部６３ａ、６３ｂは互いに離れるように直動する。これにより、図３Ａに示した状態から図３Ｂに示した状態へと移行する。ロック部６３ａ、６３ｂは、それぞれ先端部にロック爪６６ａ、６６ｂが形成されている。開閉体５０の側壁５２には、逃げ孔５２ｈが設けられている。逃げ孔５２ｈは、ロック爪６６ａ、６６ｂの通過を許容するだけの大きさを有している。ロック爪６６ａ、６６ｂが逃げ孔５２ｈから突出することにより、開閉体５０はロックされる。
【００２０】
図５Ａ、５Ｂは、光学式センサ８０周辺の断面図である。図５Ａは、アンロック状態、図５Ｂは、ロック状態を示している。
図５Ａ、５Ｂに示すように、本体１０の側壁１２の内側には、光学式センサ８０が設けられている。側壁１２には、逃げ孔５２ｈと略同等の大きさの逃げ孔１２ｈが設けられている。光学式センサ８０は、断面略コ字状の保持体８１を有している。保持体８１は、例えば合成樹脂製である。保持体８１の上壁の内側にはＬＥＤ８２が埋め込まれている。保持体８２の下壁の内側には受光素子８４が埋め込まれている。ＬＥＤ８２、受光素子８４は、制御回路基板２１と電気的に接続されている。ＬＥＤ８２、受光素子８４は対向している。ＬＥＤ８２は、受光素子８４に向けて一定の間隔で光を照射している。受光素子８４は、開閉体５０がロック機構６０によりロックされているか否かに応じてＬＥＤ８２からの光の受光状態が変化する。
【００２１】
図５Ａに示すように、ロック部６３ａは、逃げ孔５２ｈ、１２ｈから離間している。図５Ａに示したロック部６３ａは、開閉体５０をアンロック状態にするアンロック位置に位置付けられている。
【００２２】
図５Ｂに示すように、ロック部６３ａが移動して、ロック爪６６ａが逃げ孔５２ｈ、１２ｈを通過する。これにより、ロック爪６６ａは、逃げ孔５２ｈ、１２ｈの双方と係合して、開閉体５０は閉状態にロックされる。このように図５Ｂに示したロック部６３ａは、開閉体５０をロック状態にするロック位置に位置付けられている。ロック部６３ａは、このようにアンロック位置とロック位置との間を移動自在に支持されている。ロック部６３ｂも同様の構成である。
【００２３】
図５Ｂに示すように、ロック爪６６ａはＬＥＤ８２と受光素子８４との間に位置する。これにより、ＬＥＤ８２からの光はロック爪６６ａにより遮断される。このように、ロック位置にあるロック部６３ａは、ＬＥＤ８２からの光を遮断する。これにより、ＣＰＵ２２へ送信する受光素子８４の出力信号が変化する。この出力信号の変化に基づいて、ＣＰＵ２２はロック機構６０がロック状態であるかアンロック状態であるかを検出することができる。
【００２４】
ＣＰＵ２２は、受光素子８４からの出力信号に基づいてＬＥＤ９０の点灯状態を変化させる。即ち、ＣＰＵ２２は、ロック機構６０がアンロック状態の場合にはＬＥＤ９０を点滅させる。これにより、ユーザはロック機構６０がアンロック状態であることを認識できる。特に、開閉体５０が閉状態にあるがロック機構６０がアンロック状態である場合には、ユーザは開閉体５０がロックされているものと勘違いする恐れがある。しかしながら、このような場合でもＬＥＤ９０によりアンロック状態であることをユーザに報知することにより、ユーザへのロック操作を促すことができる。
【００２５】
また、光学式センサ８０は、ＬＥＤ８２、受光素子８４を備えている。ロック機構の状態を検出するセンサに、機械式センサを用いた場合、接触不良を起こし誤検出する恐れがある。特に携帯プリンタ１は、屋外でも使用可能であるため、センサは埃などの影響を受ける恐れがある。光学式センサ８０は、光の受光状態に応じて検出信号が変化するため、機械式センサを用いた場合と比較して埃などの影響を受けにくい。従って、光学式センサ８０は、防塵性が向上する。これにより、携帯プリンタ１におけるロック状態の検出の信頼性が向上する。
【００２６】
また、光学式センサ８０は、開閉体５０をロックするロック機構６０の状態を検出することにより、開閉体５０が閉状態にあるか否かを検出することができる。これにより、開閉体をロックする機構と開閉体の状態を検出する機構とを個別に設ける場合と比較して、本携帯プリンタ１は部品点数が削減されている。
【００２７】
また、機械式センサは、物理的な接触などを検出の条件とするが、光学式センサ８０は、物理的な接触を必要としない。このため、光学式センサ８０は、機械式センサよりも故障しにくい。
【００２８】
図３Ａ，３Ｂに示したように、バネ７０ａ、７０ｂは、ロック部６３ａ、６３ｂをロック位置側に付勢している。従って、バネ７０ａ、７０ｂは、アンロック状態からロック状態へ移行する際のユーザの操作を補助する機能を有している。
【００２９】
また、バネ７０ａ、７０ｂは、ロック部６３ａ、６３ｂをロック位置に維持する機能を有している。これにより、ロック状態にあるロック機構６０に衝撃が加わった場合であっても、その衝撃によりロック機構６０がアンロック状態となることが防止される。従って、例えば携帯プリンタ１が落下した場合に、衝撃により開閉体５０が開くことが防止される。
【００３０】
例えば、ロック状態にあったロック機構６０が何らかの原因により破損してしまいアンロック状態になったとしても、光学式センサ８０が作動してＬＥＤ９０が点滅する。従って、ユーザは直ちにロック機構６０の異常を認識することができる。
【００３１】
以上本発明の好ましい実施例について詳述したが、本発明は係る特定の実施例に限定されるものではなく、特許請求の範囲に記載された本発明の要旨の範囲内において、種々の変形・変更が可能である。
【００３２】
上記実施例において、ＬＥＤ９０の点灯状態により、光学式センサ８０による検出状態を報知していたが、このような報知方法に限定されない。また、ＬＥＤ９０は、本体１０側に設けてもよい。例えば、スピーカ等を用いて警告音を出力することにより光学式センサ８０による検出状態を報知してもよい。携帯型のプリンタであれば、サーマルプリンタに限定されない。開閉体としては、例えば本体から着脱可能な蓋であってもよい。本体１０側にロック部を設け、開閉体５０側に光学式センサを設けてもよい。
【符号の説明】
【００３３】
１  携帯プリンタ
１０  本体
２１  制御回路基板
２２  ＣＰＵ
５０  開閉体
６０  ロック機構
６１  ギヤ
６１ａ〜６１ｃ  歯部
６３ａ、６３ｂ  ロック部
６６ａ、６６ｂ  ロック爪
６７ａ、６７ｂ  直状部
６８ａ、６８ｂ  歯部
８０  光学式センサ
８２  ＬＥＤ（発光素子）
８４  受光素子
９０  ＬＥＤ（報知部）
【図１】
2011051265.tif 000003
【図２】
2011051265.tif 000004
【図３】
2011051265.tif 000005
【図４】
2011051265.tif 000006
【図５】
2011051265.tif 000007